(57)【要約】  変調処理方法、端末及び基地局であって、基地局は、６４ＱＡＭを超える変調方式である高次直交振幅変調（ＱＡＭ）変調方式をサポートするか否かを指示するための上位層設定シグナリングを端末に送信する。高次ＱＡＭをサポートするか否かを指示する上位層設定シグナリングによって、従来の無線伝送ネットワークとの互換性を維持しながら高次ＱＡＭ変調をサポートし、データピーク速度とスペクトル効率を向上させる。【選択図】図１
2016509787.tif 000002
【特許請求の範囲】
【請求項１】
基地局は、６４ＱＡＭを超える変調方式である高次直交振幅変調（ＱＡＭ）変調方式をサポートするか否かを指示するための上位層設定シグナリングを端末に送信することを含む符号化変調処理方法。
【請求項２】
前記上位層設定シグナリングは追加されるものである請求項１に記載の方法。
【請求項３】
前記上位層設定シグナリングの送信をサポートするよう１つ又は複数の伝送モードが予め定義され、他のモードが前記上位層設定シグナリングの送信をサポートせず、前記基地局は伝送モードが前記上位層設定シグナリングの送信をサポートする時しかに前記上位層設定シグナリングを送信しない請求項２に記載の方法。
【請求項４】
高次直交振幅変調をサポートするよう１つ又は複数の伝送モードが予め定義され、他のモードが高次直交振幅変調をサポートせず、前記上位層設定シグナリングが伝送モード指示シグナリングである請求項１に記載の方法。
【請求項５】
前記基地局が前記上位層設定シグナリングを送信した後、前記方法は、
前記基地局は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信することを更に含む請求項１に記載の方法。
【請求項６】
第２ＣＱＩテーブルにおける最後の変調とビットレートとの組み合わせに対応するビットレートｒの値は０．９２〜０．９６の間の実数である請求項５に記載の方法。
【請求項７】
前記第１ＣＱＩテーブルはＬＴＥリリース８の４ビットＣＱＩテーブルであり、前記第２ＣＱＩテーブルは、
前記第２ＣＱＩテーブルが１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２が１を超える正整数で、且つＬ１＋Ｌ２＝１５である方式Ａ１、又は
前記第２ＣＱＩテーブルにおいて、ＣＱＩが１６又は３２個の値を有し、前記第２ＣＱＩテーブルにおけるいずれか１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩが３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項５に記載の方法。
【請求項８】
前記方式Ａ１は、
第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとされ、第２ＣＱＩテーブルにおける次のＬ２個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２個の組み合わせを除くＬ１個の組み合わせは順に前記第２ＣＱＩテーブルにおける先頭のＬ１個の組み合わせとされ、第２ＣＱＩテーブルにおける最後のＬ２個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含む、請求項５に記載の方法。
【請求項９】
前記基地局が前記上位層設定シグナリングを送信した後、前記方法は、
前記基地局は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む下り制御シグナリングを前記端末に送信することを更に含む請求項１〜５のいずれか１項に記載の方法。
【請求項１０】
前記予め定義された情報は、検索空間、下り制御情報フォーマット、及び下り制御情報に対応するＣＲＣスクランブル方式のうちの少なくとも１つである請求項９に記載の方法。
【請求項１１】
前記予め定義された情報は検索空間であり、上位層設定シグナリングが高次ＱＡＭ変調方式をサポートすると指示し、且つ共通の検索空間にある時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義する請求項９に記載の方法。
【請求項１２】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩＭＣＳ）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩＭＣＳ）が高次ＱＡＭをサポートしない第１変調及び伝送ブロックサイズ（ＴＢＳ）インデックステーブルに基づき特定されるように予め定義する請求項９に記載の方法。
【請求項１３】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項９に記載の方法。
【請求項１４】
前記方式Ｂ１は、
第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１３、又は
第１変調及びＴＢＳインデックステーブルにおける偶数の変調方式とＴＢＳインデックス又は奇数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１４を含む、請求項１３に記載の方法。
【請求項１５】
端末は、６４ＱＡＭを超える変調方式である高次直交振幅変調（ＱＡＭ）変調方式をサポートするか否かを指示するための、基地局から送信される上位層設定シグナリングを受信することを含む符号化変調処理方法。
【請求項１６】
前記上位層設定シグナリングは追加されるものである請求項１５に記載の方法。
【請求項１７】
前記上位層設定シグナリングの送信をサポートするよう１つ又は複数の伝送モードが予め定義され、他のモードが前記上位層設定シグナリングの送信をサポートせず、前記基地局は伝送モードが前記上位層設定シグナリングの送信をサポートする時しかに前記上位層設定シグナリングを送信しない請求項１５に記載の方法。
【請求項１８】
高次直交振幅変調をサポートするよう１つ又は複数の伝送モードが予め定義され、他のモードが高次直交振幅変調をサポートせず、前記上位層設定シグナリングが伝送モード指示シグナリングである請求項１６に記載の方法。
【請求項１９】
前記端末が前記上位層設定シグナリングを受信した後、
前記端末は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含むチャネル状態情報を前記基地局に送信することを更に含む請求項１５に記載の方法。
【請求項２０】
第２ＣＱＩテーブルにおける最後の組み合わせの変調方式が２５６ＱＡＭである時、対応するビットレートｒは０．９２〜０．９６の間の実数である請求項１９に記載の方法。
【請求項２１】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３で構成される、請求項１９に記載の方法。
【請求項２２】
前記方式Ａ１は、
第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとされ、第２ＣＱＩテーブルにおける次のＬ２個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２個の組み合わせを除くＬ１個の組み合わせは順に前記第２ＣＱＩテーブルにおける先頭のＬ１個の組み合わせとされ、第２ＣＱＩテーブルにおける最後のＬ２個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含む、請求項２１に記載の方法。
【請求項２３】
前記端末が前記上位層設定シグナリングを受信した後、
前記端末は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む、前記基地局から送信される下り制御シグナリングを受信することを更に含む請求項１５〜１９のいずれか１項に記載の方法。
【請求項２４】
前記予め定義された情報は、検索空間、下り制御情報フォーマット、及び下り制御情報に対応するＣＲＣスクランブル方式のうちの少なくとも１つである請求項２３に記載の方法。
【請求項２５】
前記予め定義された情報は検索空間であり、上位層設定シグナリングが高次ＱＡＭ変調方式をサポートすると指示し、且つ共通の検索空間にある時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義する請求項２３に記載の方法。
【請求項２６】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩＭＣＳ）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩＭＣＳ）が高次ＱＡＭをサポートしない第１変調及び伝送ブロックサイズ（ＴＢＳ）インデックステーブルに基づき特定されるように予め定義する請求項２３に記載の方法。
【請求項２７】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項２３に記載の方法。
【請求項２８】
前記方式Ｂ１は、
第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１３、又は
第１変調及びＴＢＳインデックステーブルにおける偶数の変調方式とＴＢＳインデックス又は奇数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１４を含む、請求項２７に記載の方法。
【請求項２９】
６４ＱＡＭを超える変調方式である高次直交振幅変調（ＱＡＭ）変調方式をサポートするか否かを指示するための上位層設定シグナリングを端末に送信するように設定される設定情報送信ユニットを備える基地局。
【請求項３０】
前記上位層設定シグナリングは追加されるものである請求項２９に記載の基地局。
【請求項３１】
前記上位層設定シグナリングの送信をサポートするよう１つ又は複数の伝送モードが予め定義され、他のモードが前記上位層設定シグナリングの送信をサポートせず、前記設定情報送信ユニットは、伝送モードが前記上位層設定シグナリングの送信をサポートする時しかに前記上位層設定シグナリングを送信しないように設定される請求項２９に記載の基地局。
【請求項３２】
高次直交振幅変調をサポートするよう１つ又は複数の伝送モードが予め定義され、他のモードが高次直交振幅変調をサポートせず、前記上位層設定シグナリングが伝送モード指示シグナリングである請求項３０に記載の基地局。
【請求項３３】
前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信するように設定されるチャネル状態情報受信ユニットを更に備える請求項２９に記載の基地局。
【請求項３４】
第２ＣＱＩテーブルにおける最後の組み合わせの変調方式が２５６ＱＡＭである時、対応するビットレートｒは０．９２〜０．９６の間の実数である請求項３３に記載の基地局。
【請求項３５】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項３３に記載の基地局。
【請求項３６】
前記方式Ａ１は、
第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとされ、第２ＣＱＩテーブルにおける次のＬ２個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２個の組み合わせを除くＬ１個の組み合わせは順に前記第２ＣＱＩテーブルにおける先頭のＬ１個の組み合わせとされ、第２ＣＱＩテーブルにおける最後のＬ２個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含む、請求項３５に記載の基地局。
【請求項３７】
上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む下り制御シグナリングを前記端末に送信するように設定される下り制御情報送信ユニットを更に備える請求項２９〜３５のいずれか１項に記載の基地局。
【請求項３８】
前記予め定義された情報は、検索空間、下り制御情報フォーマット、及び下り制御情報に対応するＣＲＣスクランブル方式のうちの少なくとも１つである請求項３７に記載の基地局。
【請求項３９】
前記予め定義された情報は検索空間であり、上位層設定シグナリングが高次ＱＡＭ変調方式をサポートすると指示し、且つ共通の検索空間にある時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義する請求項３７に記載の基地局。
【請求項４０】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩＭＣＳ）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩＭＣＳ）が高次ＱＡＭをサポートしない第１変調及び伝送ブロックサイズ（ＴＢＳ）インデックステーブルに基づき特定されるように予め定義する請求項３７に記載の基地局。
【請求項４１】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデ
フォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかのの１つ変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項３７に記載の基地局。
【請求項４２】
前記方式Ｂ１は、
第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１３、又は
第１変調及びＴＢＳインデックステーブルにおける偶数の変調方式とＴＢＳインデックス又は奇数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１４を含むことを特徴とする請求項４１に記載の基地局。
【請求項４３】
６４ＱＡＭを超える変調方式である高次直交振幅変調（ＱＡＭ）変調方式をサポートするか否かを指示するための、基地局から送信される上位層設定シグナリングを受信するように設定される設定情報受信ユニットを備える端末。
【請求項４４】
前記上位層設定シグナリングは追加されるものである請求項４３に記載の端末。
【請求項４５】
前記上位層設定シグナリングの送信をサポートするよう１つ又は複数の伝送モードが予め定義され、他のモードが前記上位層設定シグナリングの送信をサポートせず、前記設定情報受信ユニットは、伝送モードが前記上位層設定シグナリングの送信をサポートする時しかに前記上位層設定シグナリングを送信しないように設定される請求項４３に記載の端末。
【請求項４６】
高次直交振幅変調をサポートするよう１つ又は複数の伝送モードが予め定義され、他のモードが高次直交振幅変調をサポートせず、前記上位層設定シグナリングが伝送モード指示シグナリングである請求項４４に記載の端末。
【請求項４７】
前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートしないと指示する時、高次ＱＡＭ変調方式をサポートする第２ＣＱＩテーブルに基づき得られるチャネル品質指標（ＣＱＩ）情報を少なくとも含むチャネル状態情報を前記基地局に送信するように設定されるチャネル状態情報報告ユニットを更に備える請求項４３に記載の端末。
【請求項４８】
第２ＣＱＩテーブルにおける最後の組み合わせの変調方式が２５６ＱＡＭである時、対応するビットレートｒは０．９２〜０．９６の間の実数である請求項４７に記載の端末。
【請求項４９】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項４７に記載の端末。
【請求項５０】
前記方式Ａ１は、
第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとされ、第２ＣＱＩテーブルにおける次のＬ２個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２個の組み合わせを除くＬ１個の組み合わせは順に前記第２ＣＱＩテーブルにおける先頭のＬ１個の組み合わせとされ、第２ＣＱＩテーブルにおける最後のＬ２個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含む、請求項４９に記載の端末。
【請求項５１】
上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む、前記基地局から送信される下り制御シグナリングを受信して検出するように設定される下り制御情報受信検出ユニットを更に備える請求項４３〜４７のいずれか１項に記載の端末。
【請求項５２】
前記予め定義された情報は、検索空間、下り制御情報フォーマット、及び下り制御情報に対応するＣＲＣスクランブル方式のうちの少なくとも１つである請求項５１に記載の方法。
【請求項５３】
前記予め定義された情報は検索空間であり、上位層設定シグナリングが高次ＱＡＭ変調方式をサポートすると指示し、且つ共通の検索空間にある時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩＭＣＳ）が高次ＱＡＭをサポートする第２変調及び伝送ブロックサイズ（ＴＢＳ）インデックステーブルに基づき特定されるように予め定義する請求項５１に記載の端末。
【請求項５４】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩＭＣＳ）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示し、且つ下り制御情報フォーマットが高次ＱＡＭ変調方式をサポートしないと予め定義されたフォーマットであると、前記変調及び符号化方式フィールド（ＩＭＣＳ）が高次ＱＡＭをサポートしない第１変調及び伝送ブロックサイズ（ＴＢＳ）インデックステーブルに基づき特定されるように予め定義する請求項５１に記載の端末。
【請求項５５】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項５１に記載の端末。
【請求項５６】
前記方式Ｂ１は、
第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとされ、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとされ、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１３、又は
第１変調及びＴＢＳインデックステーブルにおける偶数の変調方式とＴＢＳインデックス又は奇数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとし、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２であることを含む方式Ｂ１４を含む、請求項５５に記載の端末。
【発明の詳細な説明】
【技術分野】
【０００１】
本発明はモバイル無線通信分野に関し、特に無線通信システムにおける変調処理方法及び端末並びに基地局に関する。
【背景技術】
【０００２】
モバイル通信システムにおいて、無線フェージングチャンネルの時変動特性によって、通信過程で大きい不確実性がある。一方では、システムのスループットを向上させるために、伝送速度が比較的高い高次変調と低冗長性のエラー訂正コードで通信を行い、このようにして無線フェージングチャンネルの信号雑音比が比較的理想的である場合、システムのスループットは確実に大幅に向上するが、チャネルがディープフェージング状態である場合、確実かつ安定的な通信を確保できない。他方では、通信の信頼性を確保するために、伝送速度が比較的低い低次変調と高冗長性のエラー訂正コードで通信を行い、即ち無線チャネルがディープフェージング状態である場合、確実かつ安定的な通信を確保する。しかし、チャネルの信号雑音比が比較的高い場合、伝送速度が比較的低いので、システムのスループットの向上を制限し、それによりリソースの浪費を招く。モバイル通信技術の発展初期において、人々は無線フェージングチャンネルの時変動特性を抑制するには、送信機の送信電力を増加させ、低次高冗長性の変調符号化方法だけによってシステムのチャネルディープフェージング時の通信品質を確保するが、システムのスループットを如何に向上させるかを考える余裕がない。技術レベルの発展につれて、チャネル状態に応じてその送信電力、変調符号化方式及びデータのフレームサイズを適応的に調整することによりチャネルの時変動特性を克服できて、最適な通信効果を得る技術が現れ、適応符号化変調技術と呼ばれ、最も典型的なリンク適応技術に属する。
【０００３】
ロングタームエボリューションシステム（ＬＴＥ：Ｌｏｎｇ  Ｔｅｒｍ  Ｅｖｏｌｕｔｉｏｎ）において、上りにおいて伝送を必要とする制御シグナリングは、肯定応答／否定応答メッセージ（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）、及び下り物理チャネル状態情報（ＣＳＩ：Ｃｈａｎｎｅｌ  Ｓｔａｔｅ  Ｉｎｆｏｒｍａｔｉｏｎ）を反映する３種の形式であるチャネル品質指標（ＣＱＩ：Ｃｈａｎｎｅｌ  ｑｕａｌｉｔｙ  ｉｎｄｉｃａｔｉｏｎ）、プリコード化マトリクス指標（ＰＭＩ：Ｐｒｅ−ｃｏｄｉｎｇ  Ｍａｔｒｉｘ  Ｉｎｄｉｃａｔｏｒ）、ランク指標（ＲＩ：Ｒａｎｋ  Ｉｎｄｉｃａｔｏｒ）を含む。
【０００４】
ＣＱＩは下りチャネル品質を評価するための指標である。３６−２１３プロトコルにおいて、ＣＱＩは０〜１５の整数値で示され、それぞれ異なるＣＱＩ等級を表し、異なるＣＱＩはそれぞれのＭＣＳ（Ｍｏｄｕｌａｔｉｏｎ  ａｎｄ  Ｃｏｄｉｎｇ  Ｓｃｈｅｍｅ、変調符号化方式）に対応し、表１に示される。ＣＱＩ等級の選択は以下のルールに従わなければならない。
【０００５】
【表１】
2016509787.tif 000003
【０００６】
上記の表１において、ＱＡＭ（Ｑｕａｄｒａｔｕｒｅ  Ａｍｐｌｉｔｕｄｅ  Ｍｏｄｕｌａｔｉｏｎ）は直交振幅変調を表し、ＱＰＳＫ（Ｑｕａｄｒａｔｕｒｅ  Ｐｈａｓｅ  Ｓｈｉｆｔ  Ｋｅｙｉｎｇ）は四位相偏移変調を表し、デジタル変調方式である。
【０００７】
選択されるＣＱＩ等級は、対応するＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）の伝送ブロックの相応なＭＣＳでのブロック誤り率が０．１以下となるようにすべきである。
【０００８】
周波数領域と時間領域のうちの１つの非制限検出間隔に基づいて、ＵＥは最も高いＣＱＩ値を取得し、上りサブフレームｎにおいて報告される最大ＣＱＩ値のごとに、ＣＱＩの番号範囲は１−１５で、且つＣＱＩ番号及び占有する１組の下り物理リソースブロック、即ちＣＱＩ参照リソースに対応する、変調方式と伝送ブロックサイズとを有する組み合わせ情報を含むＰＤＳＣＨ伝送ブロックの単体が受信される時に誤り率が０．１を超えないという条件を満たし、ＣＱＩ番号１が該条件を満たさないと、ＣＱＩ番号が０である。該最も高いＣＱＩ値とは、ＢＬＥＲ（Ｂｌｏｃｋ  Ｅｒｒｏｒ  Ｒａｔｉｏ、ブロック誤り率）が０．１以下となることを確保する時の最大ＣＱＩ値であり、リソース割り当ての制御に寄与する。一般的には、ＣＱＩ値が小さいほど、占有するリソースが多く、ＢＬＥＲ性能が優れている。
【０００９】
１つのＣＱＩ番号に対応する、伝送ブロックサイズと変調方式とを有する組み合わせ情報について、関連する伝送ブロックサイズに応じて、ＣＱＩ参照リソースにおいてＰＤＳＣＨが伝送するこれらの組み合わせ情報がシグナリングで通知可能であり、
且つ変調方式が参照リソースにおける伝送ブロックサイズと変調方式とを含む組み合わせ情報をＣＱＩ番号で表現して利用し、生成された実効チャネル符号化速度は、ＣＱＩ番号で表現できる、近い可能性の高い実効チャネル符号化速度である。複数の該組み合わせ情報があり、それらはいずれも同様に近い、ＣＱＩ番号で表現される実効チャネル符号化速度を生成できる場合、最小伝送ブロックサイズを有する組み合わせ情報を用いる。
【００１０】
ＣＱＩ番号の各々は１種の変調方式及び伝送ブロックサイズに対応し、伝送ブロックサイズとＮＰＲＢとの対応関係はテーブルで示されてもよい。伝送ブロックサイズとＮＰＲＢのサイズに基づき、符号化速度を算出することができる。
【００１１】
ＬＴＥシステムにおいて、ＡＣＫ／ＮＡＣＫ応答メッセージは物理上り制御チャネル（ＰＵＣＣＨ：Ｐｈｙｓｉｃａｌ  Ｕｐｌｉｎｋ  Ｃｏｎｔｒｏｌ）でフォーマット１／１ａ／１ｂ（ＰＵＣＣＨ  ｆｏｒｍａｔ１／１ａ１／ｂ）で伝送される。端末（ＵＥ：Ｕｓｅｒ  Ｅｑｕｉｐｍｅｎｔ）は上りデータを送信する必要がある時、物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）で伝送し、ＣＱＩ／ＰＭＩ、ＲＩのフィードバックが周期的フィードバックであっても、非周期的フィードバックであってもよく、具体的なフィードバックは表２に示される。
【００１２】
【表２】
2016509787.tif 000004
【００１３】
周期的にフィードバックするＣＱＩ／ＰＭＩ、ＲＩについて、ＵＥは上りデータを送信する必要がないと、周期的にフィードバックするＣＱＩ／ＰＭＩ、ＲＩはＰＵＣＣＨにおいてフォーマット２／２ａ／２ｂ（ＰＵＣＣＨ  ｆｏｒｍａｔ２／２ａ／２ｂ）で伝送し、ＵＥは上りデータを送信する必要があると、ＣＱＩ／ＰＭＩ、ＲＩはＰＵＳＣＨにおいて伝送し、非周期的にフィードバックするＣＱＩ／ＰＭＩ、ＲＩについて、ＰＵＳＣＨだけにおいて伝送する。
【００１４】
ロングタームエボリューション（Ｌｏｎｇ−Ｔｅｒｍ  Ｅｖｏｌｕｔｉｏｎ、ＬＴＥと略称する）のリリース８（Ｒｅｌｅａｓｅ  ８）標準において、物理下り制御フォーマット指示チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨと略称する）、物理ハイブリッド自動再送要求指示チャネル（Ｐｈｙｓｉｃａｌ  Ｈｙｂｒｉｄ  Ａｕｔｏｍａｔｉｃ  Ｒｅｔｒａｎｓｍｉｓｓｉｏｎ  Ｒｅｑｕｅｓｔ  Ｉｎｄｉｃａｔｏｒ  Ｃｈａｎｎｅｌ、ＰＨＩＣＨと略称する）及び物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称する）という３種の下り物理制御チャネルが定義される。ＰＤＣＣＨは、上り、下りスケジューリング情報、及び上り電力制御情報を含む下り制御情報（Ｄｏｗｎｌｉｎｋ  Ｃｏｎｔｒｏｌ  Ｉｎｆｏｒｍａｔｉｏｎ、ＤＣＩと略称する）を載せるためのものである。ＤＣＩのフォーマット（ＤＣＩ  ｆｏｒｍａｔ）は、ＤＣＩ  ｆｏｒｍａｔ  ０、ＤＣＩ  ｆｏｒｍａｔ  １、ＤＣＩ  ｆｏｒｍａｔ  １Ａ、ＤＣＩ  ｆｏｒｍａｔ  １Ｂ、ＤＣＩ  ｆｏｒｍａｔ  １Ｃ、ＤＣＩ  ｆｏｒｍａｔ  １Ｄ、ＤＣＩ  ｆｏｒｍａｔ  ２、ＤＣＩ  ｆｏｒｍａｔ  ２Ａ、ＤＣＩ  ｆｏｒｍａｔ  ２Ｂ、ＤＣＩ  ｆｏｒｍａｔ  ２Ｃ、ＤＣＩ  ｆｏｒｍａｔ  ２Ｄ、ＤＣＩ  ｆｏｒｍａｔ  ３及びＤＣＩ  ｆｏｒｍａｔ  ３Ａ等に分けられる。
【００１５】
ＬＴＥにおいて、下り制御シグナリングで符号化変調方式、リソース割り当て位置、ＨＡＲＱ情報等の下り制御情報を定義する必要がある。基地局の下りスケジューリングにより符号化変調方式が特定され、具体的には、プロトコルにおいて変調及び伝送ブロックサイズのテーブルが定義され、テーブルの行ごとに１つのＭＣＳインデックスが対応し、ＭＣＳインデックスの各々に対して、変調及び伝送ブロックサイズのテーブルにおいて変調方式とビットレートとの組み合わせが定義され、具体的なテーブルはＬＴＥの３６．２１３標準を参照し、１つのＭＣＳインデックスは実質に１つのスペクトル効率に対応し、ＭＣＳインデックスの選択がＣＱＩの値を参照する必要があり、実現の際に、基地局は両方のスペクトル効率を配慮しなければならない。基地局はＭＣＳインデックスを特定した後、更にリソース割り当て情報を特定しなければならない。リソース割り当てによって下り伝送に占有される物理リソースブロック数ＮＰＲＢを与え、ＬＴＥ標準が更に１つのＴＢＳテーブルを提供し、ＭＣＳインデックスと物理リソースブロック数ＮＰＲＢが与えられた条件で前記テーブルによってＴＢＳのサイズが定義され、それらの符号化変調パラメータによって、下り符号化変調を行うことができる。
【００１６】
Ｒ１０リリースにおいて、ＵＥは、以下の伝送モード（ｔｒａｎｓｍｉｓｓｉｏｎ  ｍｏｄｅ）１〜１０のいずれかのモードに基づき、ユーザ装置専用（ＵＥ−Ｓｐｅｃｉｆｉｃ）の検索空間のＰＤＣＣＨの指示に従って、ＰＤＳＣＨデータ伝送を受信するように、上位層シグナリングによって半静的（ｓｅｍｉ−ｓｔａｔｉｃａｌｌｙ）に設定される。
【００１７】
伝送モード１：シングルアンテナポート、ポート０（Ｓｉｎｇｌｅ−ａｎｔｅｎｎａ  ｐｏｒｔ、ｐｏｒｔ  ０）
伝送モード２：送信ダイバーシチ（Ｔｒａｎｓｍｉｔ  ｄｉｖｅｒｓｉｔｙ）
伝送モード３：開ループ空間多重化（Ｏｐｅｎ−ｌｏｏｐ  ｓｐａｔｉａｌ  ｍｕｌｔｉｐｌｅｘｉｎｇ）
伝送モード４：閉ループ空間多重化（Ｃｌｏｓｅｄ−ｌｏｏｐ  ｓｐａｔｉａｌ  ｍｕｌｔｉｐｌｅｘｉｎｇ）
伝送モード５：マルチユーザマルチ入力マルチ出力（Ｍｕｌｔｉ−ｕｓｅｒ  ＭＩＭＯ）
伝送モード６：閉ループＲａｎｋ＝１プリコード化（Ｃｌｏｓｅｄ−ｌｏｏｐ  Ｒａｎｋ＝１  ｐｒｅｃｏｄｉｎｇ）
伝送モード７：シングルアンテナポート、ポート５（Ｓｉｎｇｌｅ−ａｎｔｅｎｎａ  ｐｏｒｔ、ｐｏｒｔ  ５）
伝送モード８：複流式伝送、即ちデュアルレイヤビームフォーミング
伝送モード９：最大８レイヤ送信（ｕｐ  ｔｏ  ８  ｌａｙｅｒ  ｔｒａｎｓｍｉｓｓｉｏｎ）
伝送モード１０：ＣＯＭＰ機能をサポートする最大８レイヤ送信
【００１８】
ロングタームエボリューション（Ｌｏｎｇ  Ｔｅｒｍ  Ｅｖｏｌｕｔｉｏｎ、ＬＴＥと略称する）システムはＲ８／９／１０のリリースを経た後、続いてＲ１１技術が正確に研究されている。現在、Ｒ８製品の一部は徐々に商用化されており、Ｒ９とＲ１０のさらなる製品計画は期待される。
【００１９】
従来標準において、上りと下りにおいて最大６４ＱＡＭの変調符号化方式をサポートし、異種ネットワークの発展につれて、スモールセル（ｓｍａｌｌ  ｃｅｌｌ）は更に高いデータ伝送速度と更に高いシステムスペクトル効率が必要になるが、従来の標準はこのような需要を満たすことができない。
【発明の概要】
【発明が解決しようとする課題】
【００２０】
本発明の実施例は、従来の通信標準が需要を満たすことができないという問題を解決するための、変調処理方法、端末及び基地局を提供する。
【課題を解決するための手段】
【００２１】
上記技術的問題を解決するために、本発明の実施例は符号化変調処理方法を提供し、該方法は、
基地局は、６４ＱＡＭを超える変調方式である高次直交振幅変調（ＱＡＭ）変調方式をサポートするか否かを指示するための上位層設定シグナリングを端末に送信することを含む。
【００２２】
好ましくは、前記基地局が前記上位層設定シグナリングを送信した後、該方法は、
前記基地局は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信することを更に含む。
【００２３】
好ましくは、前記基地局が前記上位層設定シグナリングを送信した後、該方法は、
前記基地局は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む下り制御シグナリングを前記端末に送信することを更に含む。
【００２４】
上記技術的問題を解決するために、本発明の実施例は符号化変調処理方法を更に提供し、該方法は、
端末は、６４ＱＡＭを超える変調方式である高次直交振幅変調（ＱＡＭ）変調方式をサポートするか否かを指示するための、基地局から送信される上位層設定シグナリングを受信することを含む。
【００２５】
上記技術的問題を解決するために、本発明の実施例は基地局を更に提供し、該基地局は、
６４ＱＡＭを超える変調方式である高次直交振幅変調（ＱＡＭ）変調方式をサポートするか否かを指示するための上位層設定シグナリングを端末に送信するように設定される設定情報送信ユニットを備える。
【００２６】
上記技術的問題を解決するために、本発明の実施例は端末を更に提供し、該端末は、
６４ＱＡＭを超える変調方式である高次直交振幅変調（ＱＡＭ）変調方式をサポートするか否かを指示するための、基地局から送信される上位層設定シグナリングを受信するように設定される設定情報受信ユニットを備える。
【発明の効果】
【００２７】
本発明の実施例の解決手段によれば、ＭＱＡＭの伝送とフィードバックを良好にサポートし、従来のシステムと互換性があり、シグナリングオーバーヘッドを増加せず、伝送やフィードバックの一貫性を確保する条件でＭＱＡＭを良好にサポートし、システムの周波数効率とデータピーク速度を向上させ、また、半静的切り替えによって２５６ＱＡＭの使用をサポートしたりサポートしなかったりし、合理的な環境での２５６ＱＡＭの使用を確保し、例えばスモールセル環境で２５６ＱＡＭを使用する。
【図面の簡単な説明】
【００２８】
【図１】図１は、本発明の実施例に係る基地局用の変調処理方法の模式図である。
【図２】図２は、本発明の実施例に係る端末用の変調処理方法の模式図である。
【図３】図３は、本発明の実施例に係る基地局の構成模式図である。
【図４】図４は、本発明の実施例に係る端末の構成模式図である。
【発明を実施するための形態】
【００２９】
以下、図面を参照しながら本発明の実施例を詳細に説明する。なお、矛盾しない場合、本願の実施例及び実施例の特徴を任意に組み合わせることができる。
【００３０】
実施例１
本実施例は、基地局用の変調処理方法を提供し、
基地局（ｅＮｏｄｅＢ）は、６４ＱＡＭを超える変調方式である高次直交振幅変調（ＱＡＭ）変調方式をサポートするか否かを指示するための上位層設定シグナリングを端末（ＵＥ）に送信することを含む。
【００３１】
本明細書において、高次ＱＡＭはＭＱＡＭとも呼ばれ、Ｍが６４を超える正整数で、且つ２の累乗である。
【００３２】
該実施例１において、Ｍ＝２５６、ＭＱＡＭは２５６ＱＡＭである。
【００３３】
選択的に、前記上位層設定シグナリングは、追加される上位層設定シグナリング又は既存の上位層設定シグナリングであってもよく、例えば、伝送モードを指示するための既存の上位層設定シグナリングである。
【００３４】
前記上位層設定シグナリングが追加されるものであると、前記上位層設定シグナリングの送信をサポートするよう１つ又は複数の伝送モードが予め定義され、他のモードが前記上位層設定シグナリングの送信をサポートしない。前記基地局は伝送モードが前記上位層設定シグナリングの送信をサポートする時しかに前記上位層設定シグナリングを送信しない。
【００３５】
勿論、既存の上位層設定シグナリングを用いると、非表示方式によって高次ＱＡＭ変調方式をサポートするか否かを指示することに相当する。非表示指示の目的を実現するために、上位層設定シグナリングの送信側と受信側、即ち基地局と端末は、いずれも表示指示の内容（例えば伝送モード）と非表示指示の内容（高次ＱＡＭ変調方式をサポートするか否か）との対応関係を予め定義しておく。
【００３６】
選択的に、伝送モードを指示するための上位層設定シグナリングで、高次ＱＡＭ変調方式をサポートするか否かを非表示指示してもよい。例えば、基地局と端末はＭＱＡＭをサポートする１つ又は複数のモードを予め定義しておき、他の伝送モードがＭＱＡＭをサポートしない。
【００３７】
選択的に、上記ＭＱＡＭをサポートする伝送モードは、伝送モード９、伝送モード１０、新たに定義された伝送モードであってもよく、すべての伝送モードであってもよく、新たに定義された１つだけ又は複数の専用伝送モードであってもよい。
【００３８】
選択的に、Ｍは更に１２８、２５６又は１０２４であってもよい。
【００３９】
本実施例に係る方法によれば、半静的切り替えが２５６ＱＡＭの使用をサポートしたりサポートしなかったりし、合理的な環境での２５６ＱＡＭの使用を確保し、例えばスモールセル環境で２５６ＱＡＭを使用する。
【００４０】
実施例２
本発明は、基地局用の符号化変調処理方法を提供し、
基地局（ｅＮｏｄｅＢ）は、６４ＱＡＭを超える変調方式である高次直交振幅変調（ＱＡＭ）（ＭＱＡＭとも呼ばれる）変調方式をサポートするか否かを指示するための上位層設定シグナリングを端末（ＵＥ）に送信することを含む。
【００４１】
上記のいずれかの上位層設定シグナリングの実現方式を基に、基地局（ｅＮｏｄｅＢ）は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信することを含む。
【００４２】
第２ＣＱＩテーブルにおいて、最後の変調とビットレートとの組み合わせに対応するビットレートｒの値は０．９２〜０．９６の間の1つの実数で、例えば、ｒ＝０．９３である。
【００４３】
前記第１ＣＱＩテーブルは、ＬＴＥリリース８の４ビットＣＱＩテーブルである。第２ＣＱＩテーブルは方式Ａ１、又は方式Ａ２、又は方式Ａ３を有する。
【００４４】
方式Ａ１:
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である。
【００４５】
方式Ａ１は、以下の方式Ａ１１〜Ａ１２のいずれかの方式であってもよい。
【００４６】
方式Ａ１１:  第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせである。
【００４７】
以下、方式Ａ１１に基づき設計される第２ＣＱＩテーブルであり、Ｌ２＝２、Ｌ１＝１３で、下記表３に示される。
【００４８】
【表３】
2016509787.tif 000005
【００４９】
上記の表において、ＣＱＩ指標列の第４行の「２（元４）」は、ＣＱＩ指標が２である場合に対応する変調方式とビットレートとの組み合わせは元のＣＱＩテーブル（即ち本明細書に記載の第１ＣＱＩテーブル）におけるＣＱＩ指標が４である場合に対応する変調方式とビットレートとの組み合わせと同様であることを表し、最後の行の「１５（追加）」は、ＣＱＩ指標が１５である場合に対応する変調方式とビットレートとの組み合わせは元のＣＱＩテーブルに対して追加されるものであることを表す。後述する第２ＣＱＩテーブルの解読方式は類似するので、重複説明を省略する。
【００５０】
方式Ａ１２：  第１ＣＱＩテーブルにおける偶数の変調とビットレート又は奇数の変調とビットレートの先頭のＬ２個の組み合わせを除くＬ１個の組み合わせは順に前記第２ＣＱＩテーブルにおける先頭のＬ１個の組み合わせとし、第２ＣＱＩテーブルにおける最後のＬ２個の変調方式とビットレートとの組み合わせは６４を超えるＱＡＭとビットレートとの組み合わせである。第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味する。
【００５１】
以下、方式Ａ１２に基づき設計される第２ＣＱＩテーブルであり、Ｌ２＝２、Ｌ１＝１３であり、第１ＣＱＩテーブルにおける偶数の変調とビットレートとの先頭の２個の組み合わせを除く１３個の組み合わせは順に前記第２ＣＱＩテーブルにおける先頭の１３個の組み合わせとする。下記表４に示される。
【００５２】
【表４】
2016509787.tif 000006
【００５３】
方式Ａ２：
前記第２ＣＱＩテーブルにおいて、ＣＱＩは１６又は３２個の値を有し、前記第２ＣＱＩテーブルにおけるいずれかの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルにおける第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋは１〜５の間の正整数である。前記第２ＣＱＩテーブルにおいて、第１個の変調方式とビットレートとの組み合わせとは、第２ＣＱＩテーブルの第２行であり、対応するＣＱＩインデックスが１である。
【００５４】
以下、方式Ａ２に基づき設計される第２ＣＱＩテーブルであり、ｋ＝１であり、第２ＣＱＩテーブルにおける第１個の変調方式とビットレートとの組み合わせは第１ＣＱＩテーブルにおける第１個の変調方式とビットレートとの組み合わせと同様であり、第２ＣＱＩテーブルにおける他の変調方式とビットレートとの組み合わせはいずれも第１ＣＱＩテーブルにおけるすべての変調方式とビットレートとの組み合わせと異なる。表５に示される。
【００５５】
【表５】
2016509787.tif 000007
【００５６】
方式Ａ３：
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである。
【００５７】
以下、方式Ａ３に基づき設計される第２ＣＱＩテーブルであり、前記第２ＣＱＩテーブルにおける奇数の変調方式とビットレートとの組み合わせの先頭の１４個の組み合わせはいずれも第１ＣＱＩテーブルにおける変調方式とビットレートとの組み合わせであり、表６に示される。
【００５８】
【表６】
2016509787.tif 000008
【００５９】
実施例３
本発明に係る符号化変調処理方法の実施例３は、基地局に用いられ、
基地局（ｅＮｏｄｅＢ）は、サポートする変調方式が高次ＱＡＭを含むか否かを指示できる上位層設定シグナリングを端末（ＵＥ）に送信することを含む。Ｍは６４を超える正整数で、且つ２の累乗である。
【００６０】
選択的に、上記いずれかの上位層設定シグナリングの実現方式を基に、基地局（ｅＮｏｄｅＢ）は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩＭＣＳ）を少なくとも含む下り制御シグナリングを端末（ＵＥ）に送信してもよい。
【００６１】
選択的に、前記予め定義された情報は、検索空間、下り制御情報フォーマット、及び下り制御情報に対応するＣＲＣスクランブル方式のうちの少なくとも１つであってもよい。
【００６２】
選択的に、前記予め定義された情報は検索空間であり、上位層設定シグナリングが高次ＱＡＭ変調方式をサポートすると指示し、且つ共通の検索空間にある時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩＭＣＳ）が高次ＱＡＭをサポートする第２変調及び伝送ブロックサイズ（ＴＢＳ）インデックステーブルに基づき特定されるように、予め定義してもよく、
又は、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩＭＣＳ）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩＭＣＳ）が高次ＱＡＭをサポートする第２変調及び伝送ブロックサイズ（ＴＢＳ）インデックステーブルに基づき特定されるように、予め定義してもよい。
【００６３】
選択的に、前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩＭＣＳ）が高次ＱＡＭをサポートする第２変調及び伝送ブロックサイズ（ＴＢＳ）インデックステーブルに基づき特定され、前記上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩＭＣＳ）が高次ＱＡＭをサポートしない第１変調及び伝送ブロックサイズ（ＴＢＳ）インデックステーブルに基づき特定されるように、予め定義してもよい。
【００６４】
更に、例えば、高次直交振幅変調をサポートすると予め定義された伝送モードに対応するすべての下り制御情報フォーマットはいずれも高次直交振幅変調をサポートし、又は、高次直交振幅変調をサポートすると予め定義された伝送モードに対応するすべての下り制御情報フォーマットにおいて１つの下り制御情報フォーマットだけが高次直交振幅変調をサポートする。
【００６５】
選択的に、上記ＭＱＡＭをサポートする制御情報フォーマットは、ＤＣＩ  Ｆｏｒｍａｔ  ２Ｃ、ＤＣＩ  Ｆｏｒｍａｔ  ２Ｄ、ＤＣＩ  Ｆｏｒｍａｔ  ４、ＤＣＩ  Ｆｏｒｍａｔ  ０、ＤＣＩ  Ｆｏｒｍａｔ  １Ａ、ＤＣＩ  Ｆｏｒｍａｔ  Ｘ（新たに定義された制御情報フォーマット）のうちの少なくとも１つを含んでもよい。
【００６６】
選択的に、基地局は下り制御シグナリングに基づき下りデータを送信してもよい。
【００６７】
選択的に、前記第１変調及びＴＢＳインデックステーブルはＬＴＥリリース８の５ビット変調及びＴＢＳインデックステーブルであり、前記第２変調及びＴＢＳインデックステーブルは方式Ｂ１、又は方式Ｂ２、又は方式Ｂ３のいずれかを用いてもよい。
【００６８】
方式Ｂ１：
前記第２変調及びＴＢＳインデックステーブルは３２個の値を有し、即ちＭＣＳインデックスは５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭の２３個の組み合わせとし、第２変調及びＴＢＳインデックステーブルにおけるＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【００６９】
選択的に、方式Ｂ１は方式Ｂ１１又は方式Ｂ１２であってもよい。
【００７０】
方式Ｂ１１：  第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとし、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【００７１】
方式Ｂ１１によれば、Ｌ２＝６、Ｌ１＝２３、Ｌ３＝４であると、第２変調及びＴＢＳインデックステーブルは下記表７に示されるように設計できる。
【００７２】
【表７】
2016509787.tif 000009
2016509787.tif 000010
【００７３】
方式Ｂ１２：  第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとし、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味する。
【００７４】
サブ方式Ｂ１２によれば、Ｌ１＝２３、Ｌ２＝６、Ｌ３＝４で、且つ第１変調及びＴＢＳインデックステーブルにおける偶数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとすると、第２変調及びＴＢＳインデックステーブルは下記表８に示されるように設計できる。
【００７５】
【表８】
2016509787.tif 000011
【００７６】
方式Ｂ１３：  第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとし、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【００７７】
方式Ｂ１３によれば、Ｌ１＝２３、Ｌ２＝６、Ｌ３＝４であると、第２変調及びＴＢＳインデックステーブルは下記表９に示されるように設計できる。
【００７８】
【表９】
2016509787.tif 000012
【００７９】
方式Ｂ１４：  第１変調及びＴＢＳインデックステーブルにおける偶数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとし、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【００８０】
方式Ｂ１４によれば、Ｌ１＝２３、Ｌ２＝６、Ｌ３＝４であると、第２変調及びＴＢＳインデックステーブルは下記表１０に示されるように設計できる。
【００８１】
【表１０】
2016509787.tif 000013
【００８２】
方式Ｂ２：
前記第２変調及びＴＢＳインデックステーブルは３２又は６４個の値を有し、前記第２変調及びＴＢＳインデックステーブルにおけるいずれかの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトで、それ以外のものは異なり、ｋは１〜５の間の正整数である。前記第２変調及びＴＢＳインデックステーブルにおける第１変調方式とＴＢＳインデックスとの組み合わせとは、第２変調及びＴＢＳインデックステーブルの第１行であり、対応するＭＣＳインデックスが０である。
【００８３】
方式Ｂ２によれば、前記第２変調及びＴＢＳインデックステーブルは３２個の値を有し、前記第２変調及びＴＢＳインデックステーブルにおけるいずれかの変調方式とＴＢＳインデックスとの組み合わせはいずれも第１変調及びＴＢＳインデックステーブルにおけるすべての変調方式とＴＢＳインデックスとの組み合わせと異なると、第２変調及びＴＢＳインデックステーブルは下記表１１に示されるように設計できる。
【００８４】
【表１１】
2016509787.tif 000014
【００８５】
方式Ｂ３：
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lは２０〜２９の間の正整数である。
【００８６】
サブ方式Ｂ３によれば、l＝２６で、且つ前記第２変調及びＴＢＳインデックステーブルにおける先頭のl個の偶数の変調方式とＴＢＳインデックスとの組み合わせはいずれも第１変調及びＴＢＳインデックステーブルにおける変調方式とＴＢＳインデックスとの組み合わせの１つであると、第２変調及びＴＢＳインデックステーブルは下記表１２に示されるように設計できる。
【００８７】
【表１２】
2016509787.tif 000015
2016509787.tif 000016
【００８８】
上記実施例に基づき、本発明に係る基地局用の変調処理方法は、図１に示されるように、以下のステップ１０１〜１０３を含む。
【００８９】
ステップ１０１：  基地局（ｅＮｏｄｅＢ）は、６４ＱＡＭを超える変調方式である高次直交振幅変調（ＱＡＭ）変調方式をサポートするか否かを指示するための上位層設定シグナリングを端末（ＵＥ）に送信する。
【００９０】
ステップ１０２：  前記基地局は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信する。
【００９１】
ステップ１０３：  前記基地局は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩＭＣＳ）を少なくとも含む下り制御シグナリングを前記端末に送信する。
【００９２】
その後、基地局（ｅＮｏｄｅＢ）は上記下り制御シグナリングに基づき、端末（ＵＥ）に下りデータを送信する。
【００９３】
また、本発明は端末に基づく符号化変調処理方法を更に提供し、即ち端末の観点から本発明に係る方法を説明し、該方法は、
端末は、６４ＱＡＭを超える変調方式である高次直交振幅変調（ＱＡＭ）変調方式をサポートするか否かを指示するための、基地局から送信される上位層設定シグナリングを受信することを含む。
【００９４】
選択的に、前記上位層設定シグナリングは追加されるものであってもよい。
【００９５】
選択的に、前記上位層設定シグナリングの送信をサポートするよう１つ又は複数の伝送モードが予め定義され、他のモードが前記上位層設定シグナリングの送信をサポートせず、前記基地局は伝送モードが前記上位層設定シグナリングの送信をサポートする時しかに前記上位層設定シグナリングを送信しなくてもよい。
【００９６】
選択的に、高次直交振幅変調をサポートするよう１つ又は複数の伝送モードが予め定義され、他のモードが高次直交振幅変調をサポートせず、前記上位層設定シグナリングは伝送モード指示シグナリングであってもよい。
【００９７】
選択的に、前記端末は前記上位層設定シグナリングを受信した後、該方法は、
上記いずれかの上位層設定シグナリングの実現方式を基に、前記端末は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含むチャネル状態情報を前記基地局に送信することを更に含んでもよい。
【００９８】
選択的に、第２ＣＱＩテーブルにおける最後の組み合わせの変調方式が６４を超えるＱＡＭである時、対応するビットレートｒは０．９２〜０．９６の間の実数であってもよい。
【００９９】
選択的に、前記第１ＣＱＩテーブルはＬＴＥリリース８の４ビットＣＱＩテーブルであってもよく、前記第２ＣＱＩテーブルは方式Ａ１、又は方式Ａ２、又は方式Ａ３で構成される。
【０１００】
方式Ａ１：
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である。
【０１０１】
方式Ａ２：
前記第２ＣＱＩテーブルにおいて、ＣＱＩは１６又は３２個の値を有し、前記第２ＣＱＩテーブルにおけるいずれかの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋは１〜５の間の正整数である。前記第２ＣＱＩテーブルにおいて、第１個の変調方式とビットレートとの組み合わせとは、第２ＣＱＩテーブルの第２行であり、対応するＣＱＩインデックスが１である。
【０１０２】
方式Ａ３：
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである。第２ＣＱＩテーブルにおいて、前記奇数の変調方式とビットレートとの組み合わせとは、第１、３、５、７、９、１１、１３、１５の変調方式とビットレートとの組み合わせの集合を意味する。
【０１０３】
選択的に、前記方式Ａ１は方式Ａ１１又は方式Ａ１２であってもよい。
【０１０４】
方式Ａ１１：  第１ＣＱＩテーブルにおける先頭のＬ２個の変調方式とビットレートとの組み合わせを除くＬ１個の変調方式とビットレートとの組み合わせは順に前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせである。
【０１０５】
方式Ａ１２：  第１ＣＱＩテーブルにおける偶数の変調とビットレートとの組み合わせ又は奇数の変調とビットレートの先頭のＬ２個の組み合わせを除くＬ１個の組み合わせは順に前記第２ＣＱＩテーブルにおける先頭のＬ１個の組み合わせとし、第２ＣＱＩテーブルにおける最後のＬ２個の変調方式とビットレートとの組み合わせは６４を超えるＱＡＭとビットレートとの組み合わせである。第１ＣＱＩテーブルにおいて、前記偶数の変調方式とビットレートとの組み合わせとは、第２、４、６、８、１０、１２、１４の変調方式とビットレートとの組み合わせの集合を意味する。
【０１０６】
選択的に、上記いずれかの上位層設定シグナリングの実現方式を基に、前記端末は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩＭＣＳ）を少なくとも含む、前記基地局から送信される下り制御シグナリングを受信するようにしてもよい。
【０１０７】
選択的に、前記第１変調及びＴＢＳインデックステーブルはＬＴＥリリース８の５ビット変調及びＴＢＳインデックステーブルであってもよく、前記第２変調及びＴＢＳインデックステーブルは、方式Ｂ１、又は方式Ｂ２、又は方式Ｂ３のいずれかで構成される。
【０１０８】
方式Ｂ１：
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとし、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【０１０９】
方式Ｂ２：
前記第２変調及びＴＢＳインデックステーブルは３２又は６４個の値を有し、前記第２変調及びＴＢＳインデックステーブルにおけるいずれかの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトで、それ以外のものは異なり、ｋは１〜５の間の正整数である。前記第２変調及びＴＢＳインデックステーブルにおける第１変調方式とＴＢＳインデックスとの組み合わせとは、第２変調及びＴＢＳインデックステーブルにおける第１行であり、対応するＭＣＳインデックスが０である。
【０１１０】
方式Ｂ３：
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lは２０〜２９の間の正整数である。
【０１１１】
選択的に、前記方式Ｂ１は、方式Ｂ１１、方式Ｂ１２、方式Ｂ１３又は方式Ｂ１４であってもよい。
【０１１２】
方式Ｂ１１：  第１変調及びＴＢＳインデックステーブルにおける先頭のＬ２個の変調とＴＢＳインデックスとの組み合わせを除くＬ１個の組み合わせは順に前記第２変調及びＴＢＳインデックステーブルにおける先頭のＬ１個の組み合わせとし、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【０１１３】
方式Ｂ１２：  第１変調及びＴＢＳインデックステーブルにおける偶数の変調方式とＴＢＳインデックスとの組み合わせ又は奇数の変調方式とＴＢＳインデックスとの組み合わせの先頭のＬ２個の組み合わせを除くＬ１個の組み合わせは順に第２変調及びＴＢＳインデックステーブルにおける先頭のＬ１個の組み合わせとし、第２変調及びＴＢＳインデックステーブルにおける次のＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である。第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味する。
【０１１４】
方式Ｂ１３：  第１変調及びＴＢＳインデックステーブルにおける先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとし、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトである。Ｌ１、Ｌ２及びＬ３は１を超える正整数で、且つＬ１＋Ｌ２＋Ｌ３−１＝３２である。
【０１１５】
方式Ｂ１４：  第１変調及びＴＢＳインデックステーブルにおける偶数の変調方式とＴＢＳインデックス又は奇数の変調方式とＴＢＳインデックスの先頭のＬ２−２個と、第１０及び１１個のうちの一方と、第１７及び１８個のうちの一方とを除くＬ１個の変調方式とＴＢＳインデックスとの組み合わせは順に前記第２変調及びＴＢＳインデックステーブルにおける先頭のＬ１個の組み合わせとし、第２変調及びＴＢＳインデックステーブルにおける先頭のＬ１個に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である。
【０１１６】
上記説明によれば、端末用の符号化変調処理方法は、図２に示されるように、
ステップ２０１：  端末は、６４ＱＡＭを超える変調方式である高次直交振幅変調（ＱＡＭ）変調方式をサポートするか否かを指示するための、基地局から送信される上位層設定シグナリングを受信するステップ、
ステップ２０２：  前記端末は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含むチャネル状態情報を前記基地局に送信するステップ、
ステップ２０３：  前記端末は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩＭＣＳ）を少なくとも含む、前記基地局から送信される下り制御シグナリングを受信するステップ、
を含む。
【０１１７】
上記方法の実施例に対応し、本発明は基地局の実施例を更に提供し、該基地局は、
６４ＱＡＭを超える変調方式である高次直交振幅変調（ＱＡＭ）変調方式をサポートするか否かを指示するための上位層設定シグナリングを端末に送信するように設定される設定シグナリング送信ユニットを備える。
【０１１８】
上位層設定命令の具体的な実現は上記の通りである。
【０１１９】
選択的に、該基地局は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートしないと指示する時、高次ＱＡＭ変調方式をサポートする第２ＣＱＩテーブルに基づき得られるチャネル品質指標（ＣＱＩ）情報を少なくとも含む前記端末のチャネル状態情報を受信するように設定されるチャネル状態情報受信ユニットを更に備えてもよい。
【０１２０】
第１、第２ＣＱＩテーブルの具体的な実現は上記の通りである。
【０１２１】
選択的に、該基地局は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩＭＣＳ）を少なくとも含む下り制御シグナリングを前記端末に送信するように設定される下り制御シグナリング送信ユニットを更に備えてもよい。
【０１２２】
第１、第２変調及びＴＢＳインデックステーブルの具体的な実現は上記の通りである。
【０１２３】
要するに、本発明の実施例に係る基地局装置は、ＭＱＡＭの伝送とフィードバックを良好にサポートし、従来のシステムと互換性があり、シグナリングオーバーヘッドを増加させずに、伝送やフィードバックの一貫性を確保する条件で、ＭＱＡＭを良好にサポートし、システムの周波数効率とデータピーク速度を向上させ、また、半静的切り替えによって２５６ＱＡＭの使用をサポートしたりサポートしなかったりし、合理的な環境での２５６ＱＡＭの使用を確保し、例えばスモールセル環境で２５６ＱＡＭを使用する。
【０１２４】
端末の実施例
上記方法の実施例に対応し、本発明は端末の実施例を更に提供し、図４に示されるように、設定情報受信ユニットと、チャネル状態情報報告ユニットと、制御情報受信及び検出ユニットと、を備える。
【０１２５】
設定情報受信ユニットは、６４ＱＡＭを超える変調方式である高次直交振幅変調（ＱＡＭ）変調方式をサポートするか否かを指示するための、基地局から送信される上位層設定シグナリングを受信するように設定される。
【０１２６】
上位層設定シグナリングについての説明は上記と同様である。
【０１２７】
チャネル状態情報報告ユニットは、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートしないと指示する時、高次ＱＡＭ変調方式をサポートする第２ＣＱＩテーブルに基づき得られるチャネル品質指標（ＣＱＩ）情報を少なくとも含むチャネル状態情報を前記基地局に送信するように設定される。
【０１２８】
第１、第２ＣＱＩテーブルについての説明は上記と同様である。
【０１２９】
制御情報受信及び検出ユニットは、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩＭＣＳ）を少なくとも含む、前記基地局から送信される下り制御シグナリングを受信して検出するように設定される。
【０１３０】
第１、第２変調及びＴＢＳテーブルについての説明は上記と同様である。
【０１３１】
要するに、本発明の実施例に係る端末装置は、ＭＱＡＭの伝送とフィードバックを良好にサポートし、従来のシステムと互換性があり、シグナリングオーバーヘッドを増加せず、伝送やフィードバックの一貫性を確保する条件でＭＱＡＭを良好にサポートし、システムの周波数効率とデータピーク速度を向上させ、また、半静的切り替えによって２５６ＱＡＭをサポートしたりサポートしなかったりし、合理的な環境での２５６ＱＡＭの使用を確保し、例えばスモールセル環境で２５６ＱＡＭを使用する。
【０１３２】
本発明の実施例に係る変調処理方法、基地局及び端末は、高次ＱＡＭをサポートするか否かを指示する上位層設定シグナリングによって、伝送やフィードバックの一貫性を確保し、一方では、従来の無線伝送ネットワークとの互換性を維持しながら高次ＱＡＭ変調をサポートすることにより、データピーク速度とスペクトル効率を向上させ、他方では、高次ＱＡＭを使用するかどうかの切り替えをサポートし、高次ＱＡＭに適する条件（例えば、スモールセル、低干渉）で高次ＱＡＭ伝送をサポートし、高次ＱＡＭに適しない条件（例えば、メトロセル）で高次ＱＡＭ伝送をサポートしない。
【０１３３】
当業者にとって、上記方法の全部又は一部のステップは、コンピュータ可読記憶媒体、例えば読み出し専用メモリ、磁気ディスクや光ディスク等に記憶されてもよいプログラムにより関連するハードウェアに命令を出して実行可能であると理解すべきである。選択的に、上記実施例の全部又は一部のステップは、１つ又は複数の集積回路によって実現されてもよい。それに対して、上記実施例における各モジュール／ユニットはハードウェアの形態で実現されてもよく、ソフトウェア機能モジュールの形態で実現されてもよい。本発明はいずれの特定形態のハードウェアとソフトウェアとの組み合わせにも限定しない。
【０１３４】
以上、前記本発明の実施例を説明したが、本発明を限定するものではない。当業者にとって、本発明は様々な変更や変化を行うことができる。本発明の精神と原則を逸脱せずに行ったすべての変更、等価置換、改良等は、本発明の請求の範囲に属する。
【産業上の利用可能性】
【０１３５】
本発明の実施例は、高次ＱＡＭをサポートするか否かを指示する上位層設定シグナリングによって、従来の無線伝送ネットワークとの互換性を維持しながら高次ＱＡＭ変調をサポートすることにより、データピーク速度とスペクトル効率を向上させる。
【図１】
2016509787.tif 000017
【図２】
2016509787.tif 000018
【図３】
2016509787.tif 000019
【図４】
2016509787.tif 000020
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
基地局は、ＭＱＡＭの変調方式である高次直交振幅変調（ＱＡＭ）変調方式をサポートするか否かを指示するための上位層設定シグナリングを端末に送信することを含み、Ｍが６４を超える整数である符号化変調処理方法。
【請求項２】
前記上位層設定シグナリングは追加されるものである請求項１に記載の方法。
【請求項３】
前記基地局が前記上位層設定シグナリングを送信した後、前記方法は、
前記基地局は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信することを更に含む請求項１に記載の方法。
【請求項４】
第２ＣＱＩテーブルにおける最後の変調とビットレートとの組み合わせに対応するビットレートｒの値は０．９２〜０．９６の間の実数である請求項３に記載の方法。
【請求項５】
前記第１ＣＱＩテーブルはＬＴＥリリース８の４ビットＣＱＩテーブルであり、前記第２ＣＱＩテーブルは、
前記第２ＣＱＩテーブルが１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２が１を超える正整数で、且つＬ１＋Ｌ２＝１５である方式Ａ１、又は
前記第２ＣＱＩテーブルにおいて、ＣＱＩが１６又は３２個の値を有し、前記第２ＣＱＩテーブルにおけるいずれか１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩが３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項３に記載の方法。
【請求項６】
前記方式Ａ１は、
第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとされ、第２ＣＱＩテーブルにおける次のＬ２'個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２'個の組み合わせを除くＬ１'個の組み合わせは順に前記第２ＣＱＩテーブルにおける先頭のＬ１'個の組み合わせとされ、第２ＣＱＩテーブルにおける最後のＬ２'個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含み、Ｌ１'とＬ２'が１を超える整数である請求項３に記載の方法。
【請求項７】
前記基地局が前記上位層設定シグナリングを送信した後、前記方法は、
前記基地局は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩMCS）を少なくとも含む下り制御シグナリングを前記端末に送信することを更に含む請求項１〜３のいずれか１項に記載の方法。
【請求項８】
前記予め定義された情報は、検索空間、下り制御情報フォーマット、及び下り制御情報に対応するＣＲＣスクランブル方式のうちの少なくとも１つである請求項７に記載の方法。
【請求項９】
前記予め定義された情報は検索空間であり、上位層設定シグナリングが高次ＱＡＭ変調方式をサポートすると指示し、且つ共通の検索空間にある時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩMCS）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩMCS）が高次ＱＡＭをサポートする第２変調及び伝送ブロックサイズ（ＴＢＳ）インデックステーブルに基づき特定されるように予め定義する請求項７に記載の方法。
【請求項１０】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩMCS）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩMCS）が高次ＱＡＭをサポートしない第１変調及び伝送ブロックサイズ（ＴＢＳ）インデックステーブルに基づき特定されるように予め定義する請求項７に記載の方法。
【請求項１１】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項７に記載の方法。
【請求項１２】
前記方式Ｂ１は、
第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１３、又は
第１変調及びＴＢＳインデックステーブルにおける偶数の変調方式とＴＢＳインデックス又は奇数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１４を含む、請求項１１に記載の方法。
【請求項１３】
端末は、ＭＱＡＭの変調方式である高次直交振幅変調（ＱＡＭ）変調方式をサポートするか否かを指示するための、基地局から送信される上位層設定シグナリングを受信することを含み、Ｍが６４を超える整数である符号化変調処理方法。
【請求項１４】
前記上位層設定シグナリングは追加されるものである請求項１３に記載の方法。
【請求項１５】
前記端末が前記上位層設定シグナリングを受信した後、
前記端末は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含むチャネル状態情報を前記基地局に送信することを更に含む請求項１３に記載の方法。
【請求項１６】
第２ＣＱＩテーブルにおける最後の組み合わせの変調方式が２５６ＱＡＭである時、対応するビットレートｒは０．９２〜０．９６の間の実数である請求項１５に記載の方法。
【請求項１７】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３で構成される、請求項１５に記載の方法。
【請求項１８】
前記方式Ａ１は、
第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとされ、第２ＣＱＩテーブルにおける次のＬ２'個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２'個の組み合わせを除くＬ１'個の組み合わせは順に前記第２ＣＱＩテーブルにおける先頭のＬ１'個の組み合わせとされ、第２ＣＱＩテーブルにおける最後のＬ２'個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含み、Ｌ１'とＬ２'が１を超える整数である請求項１７に記載の方法。
【請求項１９】
前記端末が前記上位層設定シグナリングを受信した後、
前記端末は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩMCS）を少なくとも含む、前記基地局から送信される下り制御シグナリングを受信することを更に含む請求項１３〜１５のいずれか１項に記載の方法。
【請求項２０】
前記予め定義された情報は、検索空間、下り制御情報フォーマット、及び下り制御情報に対応するＣＲＣスクランブル方式のうちの少なくとも１つである請求項１９に記載の方法。
【請求項２１】
前記予め定義された情報は検索空間であり、上位層設定シグナリングが高次ＱＡＭ変調方式をサポートすると指示し、且つ共通の検索空間にある時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩMCS）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩMCS）が高次ＱＡＭをサポートする第２変調及び伝送ブロックサイズ（ＴＢＳ）インデックステーブルに基づき特定されるように予め定義する請求項１９に記載の方法。
【請求項２２】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩMCS）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩMCS）が高次ＱＡＭをサポートしない第１変調及び伝送ブロックサイズ（ＴＢＳ）インデックステーブルに基づき特定されるように予め定義する請求項１９に記載の方法。
【請求項２３】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項１９に記載の方法。
【請求項２４】
前記方式Ｂ１は、
第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１３、又は
第１変調及びＴＢＳインデックステーブルにおける偶数の変調方式とＴＢＳインデックス又は奇数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１４を含む、請求項２３に記載の方法。
【請求項２５】
ＭＱＡＭの変調方式である高次直交振幅変調（ＱＡＭ）変調方式をサポートするか否かを指示するための上位層設定シグナリングを端末に送信し、Ｍが６４を超える整数であるように設定される設定情報送信ユニットを備える基地局。
【請求項２６】
前記上位層設定シグナリングは追加されるものである請求項２５に記載の基地局。
【請求項２７】
前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含む前記端末のチャネル状態情報を受信するように設定されるチャネル状態情報受信ユニットを更に備える請求項２５に記載の基地局。
【請求項２８】
第２ＣＱＩテーブルにおける最後の組み合わせの変調方式が２５６ＱＡＭである時、対応するビットレートｒは０．９２〜０．９６の間の実数である請求項２７に記載の基地局。
【請求項２９】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項２７に記載の基地局。
【請求項３０】
前記方式Ａ１は、
第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとされ、第２ＣＱＩテーブルにおける次のＬ２'個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２'個の組み合わせを除くＬ１'個の組み合わせは順に前記第２ＣＱＩテーブルにおける先頭のＬ１'個の組み合わせとされ、第２ＣＱＩテーブルにおける最後のＬ２'個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含み、Ｌ１'とＬ２'が１を超える整数である請求項２９に記載の基地局。
【請求項３１】
上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩMCS）を少なくとも含む下り制御シグナリングを前記端末に送信するように設定される下り制御情報送信ユニットを更に備える請求項２５〜２９のいずれか１項に記載の基地局。
【請求項３２】
前記予め定義された情報は、検索空間、下り制御情報フォーマット、及び下り制御情報に対応するＣＲＣスクランブル方式のうちの少なくとも１つである請求項３１に記載の基地局。
【請求項３３】
前記予め定義された情報は検索空間であり、上位層設定シグナリングが高次ＱＡＭ変調方式をサポートすると指示し、且つ共通の検索空間にある時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩMCS）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩMCS）が高次ＱＡＭをサポートする第２変調及び伝送ブロックサイズ（ＴＢＳ）インデックステーブルに基づき特定されるように予め定義する請求項３１に記載の基地局。
【請求項３４】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩMCS）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示する或いは下り制御情報フォーマットが高次ＱＡＭ変調方式をサポートしないと予め定義されたフォーマットであると、前記変調及び符号化方式フィールド（ＩMCS）が高次ＱＡＭをサポートしない第１変調及び伝送ブロックサイズ（ＴＢＳ）インデックステーブルに基づき特定されるように予め定義する請求項３１に記載の基地局。
【請求項３５】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかのの１つ変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項３１に記載の基地局。
【請求項３６】
前記方式Ｂ１は、
第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１３、又は
第１変調及びＴＢＳインデックステーブルにおける偶数の変調方式とＴＢＳインデックス又は奇数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１４を含むことを特徴とする請求項３５に記載の基地局。
【請求項３７】
ＭＱＡＭの変調方式である高次直交振幅変調（ＱＡＭ）変調方式をサポートするか否かを指示するための、基地局から送信される上位層設定シグナリングを受信し、Ｍが６４を超える整数であるように設定される設定情報受信ユニットを備える端末。
【請求項３８】
前記上位層設定シグナリングは追加されるものである請求項３７に記載の端末。
【請求項３９】
前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートしないと指示する時、高次ＱＡＭ変調方式をサポートする第２ＣＱＩテーブルに基づき得られるチャネル品質指標（ＣＱＩ）情報を少なくとも含むチャネル状態情報を前記基地局に送信するように設定されるチャネル状態情報報告ユニットを更に備える請求項３７に記載の端末。
【請求項４０】
第２ＣＱＩテーブルにおける最後の組み合わせの変調方式が２５６ＱＡＭである時、対応するビットレートｒは０．９２〜０．９６の間の実数である請求項３９に記載の端末。
【請求項４１】
前記第１ＣＱＩテーブルはＬＴＥリリース８の４ビットＣＱＩテーブルであり、前記第２ＣＱＩテーブルは、
前記第２ＣＱＩテーブルは１６個の値を有し、即ちＣＱＩが４ビットで示され、第１ＣＱＩテーブルにおけるＬ２個の変調方式とビットレートとの組み合わせを除くＬ１個の変調方式とビットレートとの組み合わせは前記第２ＣＱＩテーブルにおける先頭のＬ１個の変調方式とビットレートとの組み合わせとし、第２ＣＱＩテーブルにおける次のＬ２個の変調方式とビットレートとの組み合わせは６４を超えるＱＡＭとビットレートとの組み合わせであり、Ｌ１とＬ２は１を超える正整数で、且つＬ１＋Ｌ２＝１５である方式Ａ１、又は
前記第２ＣＱＩテーブルにおいて、ＣＱＩは１６又は３２個の値を有し、前記第２ＣＱＩテーブルにおけるいずれかの１つの変調方式とビットレートとの組み合わせはいずれも前記第１ＣＱＩテーブルにおけるすべての変調方式とビットレートとの組み合わせと異なり、或いは、前記第２ＣＱＩテーブルにおける第１個の変調方式とビットレートとの組み合わせは第１ＣＱＩテーブルの第ｋ個の変調方式とビットレートとの組み合わせと同様であり、前記第２ＣＱＩテーブルにおける他の変調方式とビットレートとの組み合わせはいずれも第１ＣＱＩテーブルにおけるすべての変調方式とビットレートとの組み合わせと異なり、ｋが１〜５の間の正整数である方式Ａ２、又は
前記第２ＣＱＩテーブルにおけるＣＱＩは３２個の値を有し、前記第２ＣＱＩテーブルにおける奇数の変調方式とビットレートとの組み合わせの先頭の１３又は１４又は１５個の組み合わせはいずれも第１ＣＱＩテーブルにおける変調方式とビットレートとの組み合わせである方式Ａ３のいずれかの１つで構成される、請求項３９に記載の端末。
【請求項４２】
前記方式Ａ１は、
第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとされ、第２ＣＱＩテーブルにおける次のＬ２'個の変調方式とビットレートとの組み合わせは６４を超えるＱＡＭとビットレートとの組み合わせであることを含む方式Ａ１１、又は
第１ＣＱＩテーブルにおける偶数の変調とビットレートとの組み合わせ又は奇数の変調とビットレートの先頭のＬ２'個の組み合わせを除くＬ１'個の組み合わせは順に前記第２ＣＱＩテーブルにおける先頭のＬ１'個の組み合わせとされ、第２ＣＱＩテーブルにおける最後のＬ２'個の変調方式とビットレートとの組み合わせは６４を超えるＱＡＭとビットレートとの組み合わせであり、第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味することを含む方式Ａ１２を含み、Ｌ１'とＬ２'が１を超える整数である請求項４１に記載の端末。
【請求項４３】
上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、予め定義された情報に合わせて、高次ＱＡＭをサポートする第２変調及びＴＢＳインデックステーブルに基づき特定されるか否かが特定される変調及び符号化方式フィールド（ＩMCS）を少なくとも含む、前記基地局から送信される下り制御シグナリングを受信して検出するように設定される下り制御情報受信検出ユニットを更に備える請求項３７〜３９のいずれか１項に記載の端末。
【請求項４４】
前記予め定義された情報は、検索空間、下り制御情報フォーマット、及び下り制御情報に対応するＣＲＣスクランブル方式のうちの少なくとも１つである請求項４３に記載の方法。
【請求項４５】
前記予め定義された情報は検索空間であり、上位層設定シグナリングが高次ＱＡＭ変調方式をサポートすると指示し、且つ共通の検索空間にある時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にある時、前記変調及び符号化方式フィールド（ＩMCS）が高次ＱＡＭをサポートする第２変調及び伝送ブロックサイズ（ＴＢＳ）インデックステーブルに基づき特定されるように予め定義し、
或いは、前記予め定義された情報は検索空間及び下り制御情報に対応するＣＲＣスクランブル方式であり、上位層設定シグナリングが高次ＱＡＭ変調方式をサポートすると指示し、且つ共通の検索空間又はＵＥ専用の検索空間においてＳＰＳ  Ｃ−ＲＮＴＩでＣＲＣをスクランブルする時、前記変調及び符号化方式フィールド（ＩMCS）が高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示し、且つ端末専用の検索空間にありＵＥ専用の検索空間においてＣ−ＲＮＴＩでＣＲＣをスクランブルする時、前記変調及び符号化方式フィールド（ＩMCS）が高次ＱＡＭをサポートする第２変調及び伝送ブロックサイズ（ＴＢＳ）インデックステーブルに基づき特定されるように予め定義する請求項４３に記載の端末。
【請求項４６】
前記予め定義された情報は下り制御情報フォーマットであり、上位層設定シグナリングが高次ＱＡＭ変調方式をサポートすると指示し、且つ下り制御情報フォーマットが高次ＱＡＭ変調方式をサポートすると予め定義されたフォーマットであると、前記変調及び符号化方式フィールド（ＩMCS）が高次ＱＡＭをサポートする第２変調及び伝送ブロックサイズ（ＴＢＳ）インデックステーブルに基づき特定され、上位層設定シグナリングが高次ＱＡＭ変調方式をサポートしないと指示し、且つ下り制御情報フォーマットが高次ＱＡＭ変調方式をサポートしないと予め定義されたフォーマットであると、前記変調及び符号化方式フィールド（ＩMCS）が高次ＱＡＭをサポートしない第１変調及び伝送ブロックサイズ（ＴＢＳ）インデックステーブルに基づき特定されるように予め定義する請求項４３に記載の端末。
【請求項４７】
前記第１変調及びＴＢＳインデックステーブルはＬＴＥリリース８の５ビット変調及びＴＢＳインデックステーブルであり、前記第２変調及びＴＢＳインデックステーブルは、
前記第２変調及びＴＢＳインデックステーブルは３２個の値を有し、即ちＭＣＳインデックスが５ビットで示され、第１変調及びＴＢＳインデックステーブルにおけるＬ２個の変調方式とＴＢＳインデックスとの組み合わせを除くＬ１個の組み合わせは順に前記第２変調及びＴＢＳインデックステーブルにおける先頭のＬ１個の組み合わせとされ、第２変調及びＴＢＳインデックステーブルにおける先頭のＬ１に次ぐＬ２−１個の組み合わせは６４を超えるＱＡＭとＴＢＳインデックスとの組み合わせであり、第２変調及びＴＢＳインデックステーブルにおける最後のＬ３個の組み合わせのＴＢＳインデックスはデフォルトであり、Ｌ１、Ｌ２及びＬ３は１を超える正整数で、且つＬ１＋Ｌ２＋Ｌ３−１＝３２である方式Ｂ１、又は
前記第２変調及びＴＢＳインデックステーブルは３２又は６４個の値を有し、前記第２変調及びＴＢＳインデックステーブルにおけるいずれかの１つの変調方式とＴＢＳインデックスとの組み合わせはいずれも第１変調及びＴＢＳインデックステーブルにおけるすべての変調方式とＴＢＳインデックスとの組み合わせと異なり、或いは、前記第２変調及びＴＢＳインデックステーブルにおける第１変調方式とＴＢＳインデックスとの組み合わせは第１変調及びＴＢＳインデックステーブルにおける第ｋ個の組み合わせと同様であり、且つ前記第２変調及びＴＢＳインデックステーブルにおける最後の４個の組み合わせのＴＢＳインデックスはデフォルトであり、それ以外のものが異なり、ｋが１〜５の間の正整数である方式Ｂ２、又は
前記第２変調及びＴＢＳインデックステーブルは６４個の値を有し、前記第２変調及びＴＢＳインデックステーブルにおける先頭のl個の奇数又は偶数の変調方式とＴＢＳインデックスとの組み合わせはいずれも第１変調及びＴＢＳインデックステーブルにおける変調方式とＴＢＳインデックスとの組み合わせの１つであり、lが２０〜２９の間の正整数である方式Ｂ３のいずれかの１つで構成される、請求項４３に記載の端末。
【請求項４８】
前記方式Ｂ１は、
第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１１、
第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとされ、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であり、第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味することを含む方式Ｂ１２、
第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとされ、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１３、又は
第１変調及びＴＢＳインデックステーブルにおける偶数の変調方式とＴＢＳインデックス又は奇数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとし、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数であることを含む方式Ｂ１４を含む、請求項４７に記載の端末。
【手続補正２】
【補正対象書類名】明細書
【補正対象項目名】００２１
【補正方法】変更
【補正の内容】
【００２１】
上記技術的問題を解決するために、本発明の実施例は符号化変調処理方法を提供し、該方法は、
基地局は、ＭＱＡＭの変調方式である高次直交振幅変調（ＱＡＭ）変調方式をサポートするか否かを指示するための上位層設定シグナリングを端末に送信することを含み、Ｍが６４を超える整数である。
【手続補正３】
【補正対象書類名】明細書
【補正対象項目名】００２４
【補正方法】変更
【補正の内容】
【００２４】
上記技術的問題を解決するために、本発明の実施例は符号化変調処理方法を更に提供し、該方法は、
端末は、ＭＱＡＭの変調方式である高次直交振幅変調（ＱＡＭ）変調方式をサポートするか否かを指示するための、基地局から送信される上位層設定シグナリングを受信することを含み、Ｍが６４を超える整数である。
【手続補正４】
【補正対象書類名】明細書
【補正対象項目名】００２５
【補正方法】変更
【補正の内容】
【００２５】
上記技術的問題を解決するために、本発明の実施例は基地局を更に提供し、該基地局は、
ＭＱＡＭの変調方式である高次直交振幅変調（ＱＡＭ）変調方式をサポートするか否かを指示するための上位層設定シグナリングを端末に送信し、Ｍが６４を超える整数であるように設定される設定情報送信ユニットを備える。
【手続補正５】
【補正対象書類名】明細書
【補正対象項目名】００２６
【補正方法】変更
【補正の内容】
【００２６】
上記技術的問題を解決するために、本発明の実施例は端末を更に提供し、該端末は、
ＭＱＡＭの変調方式である高次直交振幅変調（ＱＡＭ）変調方式をサポートするか否かを指示するための、基地局から送信される上位層設定シグナリングを受信し、Ｍが６４を超える整数であるように設定される設定情報受信ユニットを備える。
【手続補正６】
【補正対象書類名】明細書
【補正対象項目名】００３０
【補正方法】変更
【補正の内容】
【００３０】
実施例１
本実施例は、基地局用の変調処理方法を提供し、
基地局（ｅＮｏｄｅＢ）は、ＭＱＡＭの変調方式である高次直交振幅変調（ＱＡＭ）変調方式をサポートするか否かを指示するための上位層設定シグナリングを端末（ＵＥ）に送信することを含み、Ｍが６４を超える整数である。
【手続補正７】
【補正対象書類名】明細書
【補正対象項目名】００４０
【補正方法】変更
【補正の内容】
【００４０】
実施例２
本発明は、基地局用の符号化変調処理方法を提供し、
基地局（ｅＮｏｄｅＢ）は、ＭＱＡＭの変調方式である高次直交振幅変調（ＱＡＭ）（ＭＱＡＭとも呼ばれる）変調方式をサポートするか否かを指示するための上位層設定シグナリングを端末（ＵＥ）に送信することを含み、Ｍが６４を超える整数である。
【手続補正８】
【補正対象書類名】明細書
【補正対象項目名】００４６
【補正方法】変更
【補正の内容】
【００４６】
方式Ａ１１：  第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとし、第２ＣＱＩテーブルにおける次のＬ２'個の変調方式とビットレートとの組み合わせは６４を超えるＱＡＭとビットレートとの組み合わせである。
【手続補正９】
【補正対象書類名】明細書
【補正対象項目名】００４７
【補正方法】変更
【補正の内容】
【００４７】
以下、方式Ａ１１に基づき設計される第２ＣＱＩテーブルであり、Ｌ２'＝２、Ｌ１'＝１３で、下記表３に示される。
【手続補正１０】
【補正対象書類名】明細書
【補正対象項目名】００５０
【補正方法】変更
【補正の内容】
【００５０】
方式Ａ１２：  第１ＣＱＩテーブルにおける偶数の変調とビットレート又は奇数の変調とビットレートの先頭のＬ２'個の組み合わせを除くＬ１'個の組み合わせは順に前記第２ＣＱＩテーブルにおける先頭のＬ１'個の組み合わせとし、第２ＣＱＩテーブルにおける最後のＬ２'個の変調方式とビットレートとの組み合わせは６４を超えるＱＡＭとビットレートとの組み合わせである。第１ＣＱＩテーブルにおいて、前記奇数の変調方式とビットレートとの組み合わせとは、第１、３、５、７、９、１１、１３、１５の変調方式とビットレートとの組み合わせの集合を意味し、前記偶数の変調方式とビットレートとの組み合わせとは、第２、４、６、８、１０、１２、１４の変調方式とビットレートとの組み合わせの集合を意味し、Ｌ１'とＬ２'が１を超える整数である。
【手続補正１１】
【補正対象書類名】明細書
【補正対象項目名】００５１
【補正方法】変更
【補正の内容】
【００５１】
以下、方式Ａ１２に基づき設計される第２ＣＱＩテーブルであり、Ｌ２'＝２、Ｌ１'＝１３であり、第１ＣＱＩテーブルにおける偶数の変調とビットレートとの先頭の２個の組み合わせを除く１３個の組み合わせは順に前記第２ＣＱＩテーブルにおける先頭の１３個の組み合わせとする。下記表４に示される。
【手続補正１２】
【補正対象書類名】明細書
【補正対象項目名】００７０
【補正方法】変更
【補正の内容】
【００７０】
方式Ｂ１１：  第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとし、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。
【手続補正１３】
【補正対象書類名】明細書
【補正対象項目名】００７１
【補正方法】変更
【補正の内容】
【００７１】
方式Ｂ１１によれば、Ｌ２'＝６、Ｌ１'＝２３、Ｌ３'＝４であると、第２変調及びＴＢＳインデックステーブルは下記表７に示されるように設計できる。
【手続補正１４】
【補正対象書類名】明細書
【補正対象項目名】００７３
【補正方法】変更
【補正の内容】
【００７３】
方式Ｂ１２：  第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとし、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味する。
【手続補正１５】
【補正対象書類名】明細書
【補正対象項目名】００７４
【補正方法】変更
【補正の内容】
【００７４】
サブ方式Ｂ１２によれば、Ｌ１'＝２３、Ｌ２'＝６、Ｌ３'＝４で、且つ第１変調及びＴＢＳインデックステーブルにおける偶数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとすると、第２変調及びＴＢＳインデックステーブルは下記表８に示されるように設計できる。
【手続補正１６】
【補正対象書類名】明細書
【補正対象項目名】００７６
【補正方法】変更
【補正の内容】
【００７６】
方式Ｂ１３：  第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとし、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。
【手続補正１７】
【補正対象書類名】明細書
【補正対象項目名】００７７
【補正方法】変更
【補正の内容】
【００７７】
方式Ｂ１３によれば、Ｌ１'＝２３、Ｌ２'＝６、Ｌ３'＝４であると、第２変調及びＴＢＳインデックステーブルは下記表９に示されるように設計できる。
【手続補正１８】
【補正対象書類名】明細書
【補正対象項目名】００７９
【補正方法】変更
【補正の内容】
【００７９】
方式Ｂ１４：  第１変調及びＴＢＳインデックステーブルにおける偶数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとし、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。
【手続補正１９】
【補正対象書類名】明細書
【補正対象項目名】００８０
【補正方法】変更
【補正の内容】
【００８０】
方式Ｂ１４によれば、Ｌ１'＝２３、Ｌ２'＝６、Ｌ３'＝４であると、第２変調及びＴＢＳインデックステーブルは下記表１０に示されるように設計できる。
【手続補正２０】
【補正対象書類名】明細書
【補正対象項目名】００８９
【補正方法】変更
【補正の内容】
【００８９】
ステップ１０１：  基地局（ｅＮｏｄｅＢ）は、ＭＱＡＭの変調方式である高次直交振幅変調（ＱＡＭ）変調方式をサポートするか否かを指示するための上位層設定シグナリングを端末（ＵＥ）に送信し、Ｍが６４を超える整数である。
【手続補正２１】
【補正対象書類名】明細書
【補正対象項目名】００９３
【補正方法】変更
【補正の内容】
【００９３】
また、本発明は端末に基づく符号化変調処理方法を更に提供し、即ち端末の観点から本発明に係る方法を説明し、該方法は、
端末は、ＭＱＡＭの変調方式である高次直交振幅変調（ＱＡＭ）変調方式をサポートするか否かを指示するための、基地局から送信される上位層設定シグナリングを受信することを含み、Ｍが６４を超える整数である。
【手続補正２２】
【補正対象書類名】明細書
【補正対象項目名】０１０４
【補正方法】変更
【補正の内容】
【０１０４】
方式Ａ１１：  第１ＣＱＩテーブルにおける先頭のＬ２'個の変調方式とビットレートとの組み合わせを除くＬ１'個の変調方式とビットレートとの組み合わせは順に前記第２ＣＱＩテーブルにおける先頭のＬ１'個の変調方式とビットレートとの組み合わせとし、第２ＣＱＩテーブルにおける次のＬ２'個の変調方式とビットレートとの組み合わせは６４を超えるＱＡＭとビットレートとの組み合わせである。
【手続補正２３】
【補正対象書類名】明細書
【補正対象項目名】０１０５
【補正方法】変更
【補正の内容】
【０１０５】
方式Ａ１２：  第１ＣＱＩテーブルにおける偶数の変調とビットレートとの組み合わせ又は奇数の変調とビットレートの先頭のＬ２'個の組み合わせを除くＬ１'個の組み合わせは順に前記第２ＣＱＩテーブルにおける先頭のＬ１'個の組み合わせとし、第２ＣＱＩテーブルにおける最後のＬ２'個の変調方式とビットレートとの組み合わせは６４を超えるＱＡＭとビットレートとの組み合わせである。第１ＣＱＩテーブルにおいて、前記偶数の変調方式とビットレートとの組み合わせとは、第２、４、６、８、１０、１２、１４の変調方式とビットレートとの組み合わせの集合を意味する。Ｌ１'とＬ２'が１を超える整数である。
【手続補正２４】
【補正対象書類名】明細書
【補正対象項目名】０１１２
【補正方法】変更
【補正の内容】
【０１１２】
方式Ｂ１１：  第１変調及びＴＢＳインデックステーブルにおける先頭のＬ２'個の変調とＴＢＳインデックスとの組み合わせを除くＬ１'個の組み合わせは順に前記第２変調及びＴＢＳインデックステーブルにおける先頭のＬ１'個の組み合わせとし、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。
【手続補正２５】
【補正対象書類名】明細書
【補正対象項目名】０１１３
【補正方法】変更
【補正の内容】
【０１１３】
方式Ｂ１２：  第１変調及びＴＢＳインデックステーブルにおける偶数の変調方式とＴＢＳインデックスとの組み合わせ又は奇数の変調方式とＴＢＳインデックスとの組み合わせの先頭のＬ２'個の組み合わせを除くＬ１'個の組み合わせは順に第２変調及びＴＢＳインデックステーブルにおける先頭のＬ１'個の組み合わせとし、第２変調及びＴＢＳインデックステーブルにおける次のＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数である。第１変調及びＴＢＳインデックステーブルにおいて、前記奇数の変調方式とＴＢＳインデックスとの組み合わせとは、第１、３、５、…、２７、２９の変調方式とＴＢＳインデックスとの組み合わせの集合を意味し、前記偶数の変調方式とＴＢＳインデックスとは、第２、４、６、…、２８の変調方式とＴＢＳインデックスとの組み合わせの集合を意味する。
【手続補正２６】
【補正対象書類名】明細書
【補正対象項目名】０１１４
【補正方法】変更
【補正の内容】
【０１１４】
方式Ｂ１３：  第１変調及びＴＢＳインデックステーブルにおける先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとし、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトである。Ｌ１'、Ｌ２'及びＬ３'は１を超える正整数である。
【手続補正２７】
【補正対象書類名】明細書
【補正対象項目名】０１１５
【補正方法】変更
【補正の内容】
【０１１５】
方式Ｂ１４：  第１変調及びＴＢＳインデックステーブルにおける偶数の変調方式とＴＢＳインデックス又は奇数の変調方式とＴＢＳインデックスの先頭のＬ２'−２個と、第１０及び１１個のうちの一方と、第１７及び１８個のうちの一方とを除くＬ１'個の変調方式とＴＢＳインデックスとの組み合わせは順に前記第２変調及びＴＢＳインデックステーブルにおける先頭のＬ１'個の組み合わせとし、第２変調及びＴＢＳインデックステーブルにおける先頭のＬ１'個に次ぐＬ２'−１個の組み合わせは６４を超えるＱＡＭとＴＢＳインデックスとの組み合わせであり、第２変調及びＴＢＳインデックステーブルにおける最後のＬ３'個の組み合わせのＴＢＳインデックスはデフォルトであり、Ｌ１'、Ｌ２'及びＬ３'は１を超える正整数である。
【手続補正２８】
【補正対象書類名】明細書
【補正対象項目名】０１１６
【補正方法】変更
【補正の内容】
【０１１６】
上記説明によれば、端末用の符号化変調処理方法は、図２に示されるように、
ステップ２０１：  端末は、ＭＱＡＭの変調方式である高次直交振幅変調（ＱＡＭ）変調方式をサポートするか否かを指示するための、基地局から送信される上位層設定シグナリングを受信し、Ｍが６４を超える整数であるステップ、
ステップ２０２：  前記端末は、前記上位層設定シグナリングが高次ＱＡＭ変調方式をサポートしないと指示する時、高次ＱＡＭ変調方式をサポートしない第１ＣＱＩテーブルに基づき得られ、前記上位層設定シグナリングが高次ＱＡＭ変調方式をサポートすると指示する時、高次ＱＡＭ変調方式をサポートする第２ＣＱＩテーブルに基づき得られるチャネル品質指標（ＣＱＩ）情報を少なくとも含むチャネル状態情報を前記基地局に送信するステップ、
ステップ２０３：  前記端末は、上位層設定シグナリングが高次ＱＡＭ変調方式をサポートしないと指示する時、高次ＱＡＭをサポートしない第１変調及び伝送ブロックサイズ（ＴＢＳ）インデックステーブルに基づき特定され、上位層設定シグナリングが高次ＱＡＭ変調方式をサポートすると指示する時、高次ＱＡＭをサポートする第２変調及びＴＢＳインデックステーブルに基づき特定される変調及び符号化方式フィールド（ＩMCS）を少なくとも含む、前記基地局から送信される下り制御シグナリングを受信するステップ、
を含む。
【手続補正２９】
【補正対象書類名】明細書
【補正対象項目名】０１１７
【補正方法】変更
【補正の内容】
【０１１７】
上記方法の実施例に対応し、本発明は基地局の実施例を更に提供し、該基地局は、
ＭＱＡＭの変調方式である高次直交振幅変調（ＱＡＭ）変調方式をサポートするか否かを指示するための上位層設定シグナリングを端末に送信し、Ｍが６４を超える整数であるように設定される設定シグナリング送信ユニットを備える。
【手続補正３０】
【補正対象書類名】明細書
【補正対象項目名】０１２５
【補正方法】変更
【補正の内容】
【０１２５】
設定情報受信ユニットは、ＭＱＡＭの変調方式である高次直交振幅変調（ＱＡＭ）変調方式をサポートするか否かを指示するための、基地局から送信される上位層設定シグナリングを受信し、Ｍが６４を超える整数であるように設定される。
【国際調査報告】
2016509787.tif 000021
2016509787.tif 000022
2016509787.tif 000023
2016509787.tif 000024